【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
建造物の応力及び／又は変位を計測する建造物計測システムであって、
建造物の構造体に利用され、雄ねじ体及び／又は雌ねじ体を有するねじ部材と、
該ねじ部材に設けられ、該ねじ部材に生じるひずみを検知するひずみセンサ及び／又は該ねじ部材の変位を検知する加速度センサとなるセンサ部と、
前記センサ部に有線又は無線で接続し、前記センサ部材で計測される計測情報を蓄積する情報収集装置と、を備えることを特徴とする、
建造物計測システム。
【請求項２】
一つの建造物に対して、前記ねじ部材を複数利用するようにし、
複数の前記ねじ部材の前記センサ部の計測情報を、前記情報収集装置に蓄積することを特徴とする、
請求項１に記載の建造物計測システム。
【請求項３】
前記ねじ部材は、前記建造物の柱又は梁の鉄骨の接合に利用されるものであることを特徴とする、
請求項１又は２に記載の建造物計測システム。
【請求項４】
前記ねじ部材を複数利用するようにし、複数の前記ねじ部材は、前記建造物において、その軸方向が互いに異なる向きとなるように設置されることを特徴とする、
請求項１乃至３のいずれかに記載の建造物計測システム。
【請求項５】
前記ねじ部材における軸方向に離れた軸方向電気接点対が設けられ、前記軸方向電気接点対に電圧を印加した際の該ねじ部材の抵抗値変化により、前記ねじ部材の軸方向に生じる前記ひずみを検知することを特徴とする、
請求項１乃至４のいずれかに記載の建造物計測システム。
【請求項６】
前記ねじ部材に前記軸方向電気接点対が複数設けられ、前記複数の前記電気接点対で検知される前記ひずみの差によって前記ねじ部材の曲げ力を検知することを特徴とする、
請求項５のいずれかに記載の建造物計測システム。
【請求項７】
前記ねじ部材における径方向に離れた前記径方向電気接点対が設けられ、前記径方向電気接点対に電圧を印加した際の該ねじ部材の抵抗値変化により、前記ねじ部材の径方向に生じる前記ひずみを検知することを特徴とする、
請求項１乃至６のいずれかに記載の建造物計測システム。
【請求項８】
前記ねじ部材に、無線通信用のアンテナが設けられることを特徴とする、
請求項１乃至７のいずれかに記載の建造物計測システム。
【請求項９】
前記ねじ部材に、個体識別情報を有するＩＣチップが設けられることを特徴とする、
請求項１乃至８のいずれかに記載の建造物計測システム。
【請求項１０】
前記ねじ部材に、バッテリが設けられることを特徴とする、
請求項１乃至９のいずれかに記載の建造物計測システム。
【請求項１１】
複数の建造物に前記ねじ部材が利用されており、
前記情報収集装置は、複数の前記建造物の前記計測情報を蓄積することを特徴とする、
請求項１乃至１０のいずれかに記載の建造物計測システム。
【請求項１２】
建造物の応力及び／又は変位を計測する建造物計測システムにおける建造物の構造体の接合に利用され、雄ねじ体及び／又は雌ねじ体を有するねじ部材であって、
前記ねじ部材に設けられ、該ねじ部材に生じるひずみを検知するひずみセンサ及び／又は該ねじ部材の変位を検知する加速度センサとなるセンサ部を備えることを特徴とする、ねじ部材。
【請求項１３】
前記ねじ部材は、検知された抵抗値データや移動量データを格納するメモリと、格納したデータを外部に通信するためのインタフェースと、を備えることを特徴とする、
請求項１２に記載のねじ部材。
【手続補正２】
【補正対象書類名】明細書
【補正対象項目名】発明の名称
【補正方法】変更
【補正の内容】
【発明の名称】建造物計測システム及びねじ部材
【手続補正３】
【補正対象書類名】明細書
【補正対象項目名】０００７
【補正方法】変更
【補正の内容】
【０００７】
上記目的を達成する本発明は、建造物の応力及び／又は変位を計測する建造物計測システムであって、建造物の構造体に利用され、雄ねじ体及び／又は雌ねじ体を有するねじ部材と、該ねじ部材に設けられ、該ねじ部材に生じるひずみを検知するひずみセンサ及び／又は該ねじ部材の変位を検知する加速度センサとなるセンサ部と、前記センサ部に有線又は無線で接続し、前記センサ部材で計測される計測情報を蓄積する情報収集装置と、を備えることを特徴とする、建造物計測システムである。
【手続補正４】
【補正対象書類名】明細書
【補正対象項目名】０００８
【補正方法】変更
【補正の内容】
【０００８】
上記建造物計測システムに関連して、一つの建造物に対して、前記ねじ部材を複数利用するようにし、複数の前記ねじ部材の前記センサ部の計測情報を、前記情報収集装置に蓄積することを特徴とする。
【手続補正５】
【補正対象書類名】明細書
【補正対象項目名】０００９
【補正方法】変更
【補正の内容】
【０００９】
上記建造物計測システムに関連して、前記ねじ部材は、前記建造物の柱又は梁の鉄骨の接合に利用されるものであることを特徴とする。
【手続補正６】
【補正対象書類名】明細書
【補正対象項目名】００１０
【補正方法】変更
【補正の内容】
【００１０】
上記建造物計測システムに関連して、前記ねじ部材を複数利用するようにし、複数の前記ねじ部材は、前記建造物において、その軸方向が互いに異なる向きとなるように設置されることを特徴とする。
【手続補正７】
【補正対象書類名】明細書
【補正対象項目名】００１１
【補正方法】変更
【補正の内容】
【００１１】
上記建造物計測システムに関連して、前記ねじ部材における軸方向に離れた軸方向電気接点対が設けられ、前記軸方向電気接点対に電圧を印加した際の該ねじ部材の抵抗値変化により、前記ねじ部材の軸方向に生じる前記ひずみを検知することを特徴とする。
【手続補正８】
【補正対象書類名】明細書
【補正対象項目名】００１２
【補正方法】変更
【補正の内容】
【００１２】
上記建造物計測システムに関連して、前記ねじ部材に前記軸方向電気接点対が複数設けられ、前記複数の前記電気接点対で検知される前記ひずみの差によって前記ねじ部材の曲げ力を検知することを特徴とする。
【手続補正９】
【補正対象書類名】明細書
【補正対象項目名】００１３
【補正方法】変更
【補正の内容】
【００１３】
上記建造物計測システムに関連して、前記ねじ部材における径方向に離れた前記径方向電気接点対が設けられ、前記径方向電気接点対に電圧を印加した際の該ねじ部材の抵抗値変化により、前記ねじ部材の径方向に生じる前記ひずみを検知することを特徴とする。
【手続補正１０】
【補正対象書類名】明細書
【補正対象項目名】００１４
【補正方法】変更
【補正の内容】
【００１４】
上記建造物計測システムに関連して、前記ねじ部材に、無線通信用のアンテナが設けられることを特徴とする。
【手続補正１１】
【補正対象書類名】明細書
【補正対象項目名】００１５
【補正方法】変更
【補正の内容】
【００１５】
上記建造物計測システムに関連して、前記ねじ部材に、個体識別情報を有するＩＣチップが設けられることを特徴とする。
【手続補正１２】
【補正対象書類名】明細書
【補正対象項目名】００１６
【補正方法】変更
【補正の内容】
【００１６】
上記建造物計測システムに関連して、前記ねじ部材に、バッテリが設けられることを特徴とする。
【手続補正１３】
【補正対象書類名】明細書
【補正対象項目名】００１７
【補正方法】変更
【補正の内容】
【００１７】
上記建造物計測システムに関連して、複数の建造物に前記ねじ部材が利用されており、前記情報収集装置は、複数の前記建造物の前記計測情報を蓄積することを特徴とする。
また、上記目的を達成する本発明は、建造物の応力及び／又は変位を計測する建造物計測システムにおける建造物の構造体の接合に利用され、雄ねじ体及び／又は雌ねじ体を有するねじ部材であって、ねじ部材は、該ねじ部材に生じるひずみを検知するひずみセンサ及び／又は該ねじ部材の変位を検知する加速度センサとなるセンサ部を備えている。
上記ねじ部材に関連して、前記ねじ部材に、検知された抵抗値データや移動量データを格納するメモリと、格納したデータを外部に通信するためのインタフェースと、を備えることを特徴とする。